(57)【要約】      （修正有）【課題】本発明は、表示を容易に変更することができ、全ての識別標識を準備しなくても少数の個体識別表示具で全ての識別標識を表現し得る表示具セットを提供する。【解決手段】本発明に係る表示具セットは、表面と裏面と、この両面を画する縁部とを有する表示基材と、前記表示基材に着脱可能な複数の表示ピースと、前記表示基材を被着物に固定し得る固定手段と、を備え、前記表示基材を前記固定手段により被着物に固定して、該表示基材に被着させた１又は複数の表示ピースにより表現した情報を表示する表示具であって、前記表示基材は、前記表面及び／又は前記裏面に、面ファスナーを露出させた表示部を有し、該表示部に、面ファスナーに被着可能な１又は複数の前記表示ピースを被着させて情報を表示する。【選択図】図１
2019008220.tif 000002
【特許請求の範囲】
【請求項１】
表面と裏面と、この両面を画する縁部とを有する表示基材と、
前記表示基材に着脱可能な複数の表示ピースと、
前記表示基材を被着物に固定し得る固定手段と、を備え、
前記表示基材を前記固定手段により被着物に固定して、該表示基材に被着させた１又は複数の表示ピースにより表現した情報を表示する表示具であって、
前記表示基材は、前記表面及び／又は前記裏面に、面ファスナーを露出させた表示部を有し、
該表示部に、面ファスナーに被着可能な１又は複数の前記表示ピースを被着させて情報を表示する、表示具セット。
【請求項２】
前記表示部は、
該表示部上の点が上下方向と左右方向とで指定可能な２次元平面状であり、
面ファスナーを露出させた７つの前記長方形状の単位セグメントによりデジタル型の８の字を構成するセグメント表示部を少なくとも１つ含み、
前記単位セグメントと略同形状の前記複数の表示ピースを、１対１対応で該単位セグメントに被着させて、デジタル式情報を表示し得る、請求項１に記載の表示具セットであって、
前記セグメント表示部は、
３つの単位セグメントｈ１、ｈ２、ｈ３が上から下方向に等間隔で平行に、左右方向に延伸して配置されると共に、
２つの単位セグメントｖｌ１、ｖｌ２がそれぞれ単位セグメントｈ１、ｈ２及び単位セグメントｈ２、ｈ３の左端部を接続して上下方向に延伸して配置され、
かつ、２つの単位セグメントｖｒ１、ｖｒ２がそれぞれ単位セグメントｈ１、ｈ２及び単位セグメントｈ２、ｈ３の右端部を接続して上下方向に延伸して配置されることを特徴とする、表示具セット。
【請求項３】
前記表示部に、
上下方向長さがＬｖ，左右方向長さがＬｈの前記セグメント表示部を、所定の間隔ｄを空けて複数個並列に配置した、請求項２に記載の表示具セット。
【請求項４】
隣接する左右２つの前記セグメント表示部において、
左右の前記セグメント表示部の単位セグメントｈ１、ｈ２間及び単位セグメントｈ２、ｈ３間を上下方向に一直線状に２つの補充セグメントｖｍ１及びｖｍ２をそれぞれ接続させ、
左右の前記セグメント表示部から等距離の２等分線から、該左右の前記セグメント表示部における前記２つの補充セグメントｖｍ１、ｖｍ２までの距離が、共にＬｈ／２となる位置に、該２つの補充セグメントｖｍ１、ｖｍ２を配置した、
請求項３に記載の表示具セット。
【請求項５】
前記固定手段を、
前記被着物に取り付けたボタンと、
該ボタンを嵌合させて固定可能な、前記縁部に設けた穴とする、
請求項１に記載の表示具セット。
【請求項６】
前記固定手段を、
前記被着物又は前記縁部に取り付けたポッチと、
該ポッチを嵌合させて固定可能な、該縁部又は該被着物に取り付けた凹金具とする、
請求項１に記載の表示具セット。
【請求項７】
面ファスナーを表示部に露出させた表示基材と、該表示部に着脱可能な複数の表示ピースと、該表示基材を被着物に固定し得る固定手段と、を備える表示具セットを準備するステップと、
前記表示部に１又は複数の表示ピースを被着させて情報を表示するステップと、
前記表示部を露出させて、前記表示基材を前記固定手段により被着物に固定するステップと、
を含む、表示具セットの使用方法。
【請求項８】
前記情報を表示するステップは、
前記表示部が少なくとも１つ含むセグメント表示部の７つの長方形状の単位セグメントに、前記複数の表示ピースを、１対１対応で被着させて、デジタル式情報を表示するステップを含む、請求項７に記載の表示具セットの使用方法。
【発明の詳細な説明】
【技術分野】
【０００１】
本発明は、表示具セットとその使用方法に関する。
【背景技術】
【０００２】
各種運動競技等で競技者又は個体を特定するための背番号等の識別標識を表示する方法として、例えば、所謂ゼッケンがある。ゼッケンなどの個体識別表示具には、たすきのように個体の衣類の上から被着するものや、衣類に直接縫い付けたり着脱可能に取り付けるもの等、多くの形態が考案されており、様々な機能を付した個体識別表示具が提案されている。
【０００３】
例えば、特許文献１は、「競技者が胸と背中とに自己の番号を表示するゼッケンであって、一対の前脇紐が取り付けられた前布と、一対の後脇紐が取り付けられた後布と、前布と後布とを連結する一対の肩紐とを具備しており、前記前脇紐と後脇紐とにはマジックテープ（登録商標）が取り付けられていることを特徴とするゼッケン」を開示している。このゼッケンは、マジックテープ（登録商標）により競技者に確実に固定でき、競技者の衣類に背番号などの識別標識を直接表示しなくても、競技者を特定することができる。また、ゼッケンを取り替えることにより異なる識別標識を表示することができるので、個体識別表示具の使い回しができる。
【０００４】
また、特許文献２は、「１・２または３・４などの２組の連続数字をそれぞれ表面に描き、一端に紐を取着した２枚のプレートを紐と数字の面を外にして互いに向かい合わせ、略中央から紐のない端までの自由端側半分を縫い合わせる等して合体せしめてなり、該合体部分を適宜折り返し自在にして、マジックテープ（登録商標）等で緊着可能としたことを特徴とするゲートボール用ゼッケン」を開示している。このゲートボール用ゼッケンは、合体部分を適宜折り返すことにより、１つのゼッケンで複数の番号を表現することができる。
【０００５】
また、競技によっては上達度によって級や段などの等級が付与され、例えば空手や柔道のように帯の色によって競技者の上達度を測ることができる。そのため、例えば、特許文献３は、「スポーツ競技者の衣類に着けるシート部材に、氏名を表示し、かつ、この氏名を、前記スポーツ競技者の上達度合いを示す色で表示することを特徴とするスポーツ競技者用ゼッケン」に係る考案を開示している。
【０００６】
また、競技や競技を行う大会によっては、競技者のユニフォームについて規則が定められている場合がある。例えば、１チーム１０人の選手がそれぞれ着用する背番号付き１０枚のユニフォームに対して、背番号が表示されていないユニフォームを２枚、予備としてチームごとに準備しないといけないという規則が定められる場合がある。このような場合、予備のユニフォームには背番号が付けられていないので、例えば競技中に破れた選手の背番号をユニフォームに表示し、取り替えさせる必要がある。従来、ボタンなどの固定具を予備のユニフォームに取り付けておき、白地布シートに急遽必要な背番号をマジックなどで手書きし、この布シートをユニフォームに固定具で固定するなどの応急処理が取られていた。
【０００７】
【特許文献１】実開昭６４−４４６９号公報
【特許文献２】実開昭６３−８２２８２号公報
【特許文献３】特開２００４−９３５９８号公報
【発明の概要】
【発明が解決しようとする課題】
【０００８】
しかし、このような手書き背番号のユニフォームは余りに不体裁であり、緊急処置とはいえ、処置としてあまりに稚拙といえる。どの背番号等の識別標識が必要か事前に知ることができず、そのため全ての識別標識に対応した個体識別表示具を予め準備すると高コストになり、保管や運搬等にも不経済であることが問題となる。
【０００９】
このような課題を解決するため、本発明は、個体識別表示具の表示を容易に変更することができ、全ての識別標識を準備しなくても少数の個体識別表示具で全ての識別標識を表現し得る表示具セットを提供する。
【課題を解決するための手段】
【００１０】
本発明に係る表示具セットは、表面と裏面と、この両面を画する縁部とを有する表示基材と、前記表示基材に着脱可能な複数の表示ピースと、前記表示基材を被着物に固定し得る固定手段と、を備え、前記表示基材を前記固定手段により被着物に固定して、該表示基材に被着させた１又は複数の表示ピースにより表現した情報を表示する表示具であって、
前記表示基材は、前記表面及び／又は前記裏面に、面ファスナーを露出させた表示部を有し、該表示部に、面ファスナーに被着可能な１又は複数の前記表示ピースを被着させて情報を表示する。
【００１１】
本発明に係る表示具セットにおいて、前記表示部は、表示部上の点が上下方向と左右方向とで指定可能な２次元平面状であり、面ファスナーを露出させた７つの前記長方形状の単位セグメントによりデジタル型の８の字を構成するセグメント表示部を少なくとも１つ含み、前記単位セグメントと略同形状の前記複数の表示ピースを、１対１対応で該単位セグメントに被着させて、デジタル式情報を表示し得る、前記記載の表示具セットであって、
前記セグメント表示部は、３つの単位セグメントｈ１、ｈ２、ｈ３が上から下方向に等間隔で平行に、左右方向に延伸して配置されると共に、２つの単位セグメントｖｌ１、ｖｌ２がそれぞれ単位セグメントｈ１、ｈ２及び単位セグメントｈ２、ｈ３の左端部を接続して上下方向に延伸して配置され、かつ、２つの単位セグメントｖｒ１、ｖｒ２がそれぞれ単位セグメントｈ１、ｈ２及び単位セグメントｈ２、ｈ３の右端部を接続して上下方向に延伸して配置されることを特徴とする。
【００１２】
本発明に係る表示具セットは、前記表示部に、上下方向長さがＬｖ，左右方向長さがＬｈの前記セグメント表示部を、所定の間隔ｄを空けて複数個並列に配置してもよい。
【００１３】
本発明に係る表示具セットは、隣接する左右２つの前記セグメント表示部において、左右の前記セグメント表示部の単位セグメントｈ１、ｈ２間及び単位セグメントｈ２、ｈ３間を上下方向に一直線状に２つの補充セグメントｖｍ１及びｖｍ２をそれぞれ接続させ、左右の前記セグメント表示部から等距離の２等分線から、該左右の前記セグメント表示部における前記２つの補充セグメントｖｍ１、ｖｍ２までの距離が、共にＬｈ／２となる位置に、該２つの補充セグメントｖｍ１、ｖｍ２を配置した。
【００１４】
本発明に係る表示具セットは、前記固定手段を、前記被着物に取り付けたボタンと、
該ボタンを嵌合させて固定可能な、前記縁部に設けた穴としてもよい。
【００１５】
本発明に係る表示具セットは、前記固定手段を、前記被着物又は前記縁部に取り付けたポッチと、該ポッチを嵌合させて固定可能な、該縁部又は該被着物に取り付けた凹金具としてもよい。
【００１６】
本発明に係る表示具セットの使用方法は、面ファスナーを表示部に露出させた表示基材と、該表示部に着脱可能な複数の表示ピースと、該表示基材を被着物に固定し得る固定手段と、を備える表示具セットを準備するステップと、前記表示部に１又は複数の表示ピースを被着させて情報を表示するステップと、前記表示部を露出させて、前記表示基材を前記固定手段により被着物に固定するステップと、を含む。
【００１７】
本発明に係る表示具セットの使用方法において、前記情報を表示するステップは、前記表示部が少なくとも１つ含むセグメント表示部の７つの長方形状の単位セグメントに、前記複数の表示ピースを、１対１対応で被着させて、デジタル式情報を表示するステップを含む。
【発明の効果】
【００１８】
本発明に係る表示具セットは、表示基材をボタンなどの固定手段により衣類などの被着物に固定して、この表示基材に１又は複数の表示ピースを被着させて背番号等の情報を表示することができる。表示基材は、表示面に、面ファスナーを露出させた表示部を有し、この表示部に、面ファスナーに被着可能な１又は複数の表示ピースを被着させて全ての数字を表現することができる。
【００１９】
このため、個体識別表示具の表示を容易に変更することができ、全ての背番号を表示したゼッケン等の個体識別表示具を準備しなくても、少数の個体識別表示具で全ての背番号を表現することができる。また、表示部には、表示ピースを組み合わせて数字以外の表現を行うこともできる。
【００２０】
本発明に係る表示具セットは、面ファスナーを露出させた布シートなどの表示基材と、表示基材に露出させた面ファスナーに着脱可能な複数の表示ピースから構成され、極めて軽量で運搬性に優れ、表示ピース同士を相互に被着出来るので保管性にも優れ、全ての背番号分の表示基材を準備しなくてもよいのでコストパフォーマンス的にも極めて優れている。
【図面の簡単な説明】
【００２１】
【図１】本発明に係る表示具セットの表示部（セグメント表示部）に表示ピースを被着させて「８８」を表示した正面図。
【図２】セグメント表示部を２つ設けた本発明に係る表示具セットの正面図。
【図３】本発明に係る表示具セットの表示部に表示ピースを被着させて「５１」「イチロー」を表示した正面図。
【図４】セグメント表示部に被着させる本発明に係る表示ピースの（ａ）正面図、（ｂ）裏面図。
【発明を実施するための形態】
【００２２】
以下、図面を参照しながら本発明に係る表示具セットの実施形態、実施例について説明する。なお、以下各図面を通して同一の構成要素には同一の符号を使用するものとする。
【００２３】
［表示具セット］
本発明に係る表示具セット１は、図１及び図２に示すように、表面１０Ｆと裏面１０Ｂと、この両面を画する縁部１０Ｐとを有する表示基材１０と、表示基材１０に着脱可能な複数の表示ピース３０と、表示基材１０を被着物１００に固定し得る固定手段１６とを備え、表示基材１０を固定手段１６により被着物１００に固定して、表示基材１０に被着させた１又は複数の表示ピース３０により表現した情報を表示する表示具である。
【００２４】
本発明に係る表示具セット１は、表示基材１０は、表面１０Ｆ及び／又は裏面１０Ｂに、面ファスナー１３を露出させた表示部１２を有し、表示部１２に、面ファスナー１３に被着可能な１又は複数の表示ピース３０を被着させて情報を表示することができる。
【００２５】
セグメント表示部
本発明に係る表示具セット１において、表示部１２は、表示部１２上の点が上下方向と左右方向とで指定可能な２次元平面状であり、図２のように、面ファスナー１３を露出させた７つの長方形状の単位セグメント２１によりデジタル型の８の字を構成するセグメント表示部２０を少なくとも１つ含む。そして、図４に示すように、単位セグメント２１と略同形状の複数の表示ピース３０を、１対１対応で単位セグメント２１に被着させて、デジタル式情報を表示することができる。
【００２６】
このセグメント表示部２０は、図２のように、３つの単位セグメントｈ１、ｈ２、ｈ３が上から下方向に等間隔で平行に、左右方向に延伸して配置されると共に、２つの単位セグメントｖｌ１、ｖｌ２がそれぞれ単位セグメントｈ１、ｈ２及び単位セグメントｈ２、ｈ３の左端部を接続して上下方向に延伸して配置され、かつ、２つの単位セグメントｖｒ１、ｖｒ２がそれぞれ単位セグメントｈ１、ｈ２及び単位セグメントｈ２、ｈ３の右端部を接続して上下方向に延伸して配置されることを特徴とする。
【００２７】
本発明に係る表示具セット１は、表示部１２に、上下方向長さがＬｖ，左右方向長さがＬｈのセグメント表示部２０を、所定の間隔ｄを空けて複数個並列に配置してもよい。
【００２８】
補充セグメント
また、隣接する左右２つのセグメント表示部２０において、左右のセグメント表示部２０の単位セグメントｈ１、ｈ２間及び単位セグメントｈ２、ｈ３間を上下方向に一直線状に２つの補充セグメントｖｍ１及びｖｍ２をそれぞれ接続させ、左右のセグメント表示部２０から等距離の２等分線から、左右のセグメント表示部２０における２つの補充セグメントｖｍ１、ｖｍ２までの距離が、共にＬｈ／２となる位置に、２つの補充セグメントｖｍ１、ｖｍ２を配置してもよい。
【００２９】
固定手段
本発明に係る表示具セット１は、固定手段１６を、被着物１００に取り付けたボタンと、ボタンを嵌合させて固定可能な、縁部１０Ｐに設けた穴とすることができる。あるいは、固定手段１６を、被着物１００又は縁部１０Ｐに取り付けたポッチと、ポッチを嵌合させて固定可能な、縁部１０Ｐ又は被着物１００に取り付けた凹金具としてもよい。
【００３０】
［表示具セットの使用方法］
以下、上述した表示具セット１の使用方法について説明する。
【００３１】
本発明に係る表示具セット１の使用方法は、
（１）面ファスナー１３を表示部１２に露出させた表示基材１０と、表示部１２に着脱可能な複数の表示ピース３０と、表示基材１０を被着物１００に固定し得る固定手段１６と、を備える表示具セット１を準備するステップと、
（２）表示部１２に１又は複数の表示ピース３０を被着させて情報を表示するステップと、
（３）表示部１２を露出させて、表示基材１０を固定手段１６により被着物１００に固定するステップと、
を含む。
【００３２】
そして、この本発明に係る表示具セット１の使用方法において、上記情報を表示するステップ（２）は、表示基材１０の表示部１２が少なくとも１つ含むセグメント表示部２０の７つの長方形状の単位セグメント２１に、複数の表示ピース３０を、１対１対応で被着させて、デジタル式情報を表示するステップを含む。
【実施例１】
【００３３】
実施例１に係る表示具セット１は、図３に示すように、表示基材１０の表面１０Ｆの下段に表示部１２を有し、上段に２つのセグメント表示部２０を並設している。下段の表示部１２の全面に面ファスナー１３が露出しており、セグメント表示部２０では、単位セグメント２１及び補充セグメント２２の部分に面ファスナー１３が露出している。
【００３４】
左側のセグメント表示部２０には、５つの表示ピース３０をそれぞれ適当な単位セグメント２１に被着させて「５」を表示し、右側のセグメント表示部２０には、２つの表示ピース３０を補充セグメント２２（ｖｍ１、ｖｍ２）にそれぞれ被着させて「１」を表示している。また、全面に面ファスナー１３が露出した下段に表示部１２には、１０個の表示ピース３０を配置して、「イチロー」を表示している。
【００３５】
このように、本発明に係る表示具セット１では、表示部１２とセグメント表示部２０を適当に配置して、数字や簡単な文字を情報ないしはメッセージを表現することができ、表示ピース３０の配置を変えることによって、この情報等を適宜容易に変更することができる。
【００３６】
以上、本発明に係る表示具セットおよびこれを用いた基礎工法について説明したが、本発明は上記実施形態及び実施例に限定されるものではない。
【００３７】
その他、本発明は、その主旨を逸脱しない範囲で当業者の知識に基づき種々の改良、修正、変更を加えた態様で実施できるものである。
【産業上の利用可能性】
【００３８】
本発明に係る表示具セットは、競技用ゼッケンその他の表示具として用いることができる。
【符号の説明】
【００３９】
１：表示具セット
１０：表示基材
１０Ｆ：表面
１０Ｂ：裏面
１０Ｐ：縁
１２：表示部
１３：面ファスナー
１６： 固定手段
２０：セグメント表示部
２１：単位セグメント
ｈ１、ｈ２、ｈ３：（左右方向）単位セグメント
ｖｌ１、ｖｌ２：（上下方向左側）単位セグメント
ｖｒ１、ｖｒ２：（上下方向右側）単位セグメント
２２：補充セグメント
ｖｍ１、ｖｍ２：（上下方向中側）補充セグメント
３０：表示ピース
３０Ｆ：表面
３０Ｂ：裏面
３０Ｔ：端部
１００：被着物
【図１】
2019008220.tif 000003
【図２】
2019008220.tif 000004
【図３】
2019008220.tif 000005
【図４】
2019008220.tif 000006